(57)【要約】【課題】端子金具の挿入時にタブ部が変形することを防ぐことが可能なリテーナ付きコネクタを提供する。【解決手段】ハウジング２０と、ハウジング２０に前方から取り付けられるフロントリテーナ４０と、を備え、ハウジング２０は、正規位置に挿入された端子金具１０に係止可能なランス３１を有し、ランス３１は、端子金具１０の挿入時には端子金具１０に押されて撓み空間Ｓ１に退避し、端子金具１０が正規挿入されると弾性復帰して端子金具１０に係止するものであり、フロントリテーナ４０は、撓み空間Ｓ１に入り込んでランス３１の撓み変形を規制する撓み規制部４２を有し、撓み規制部４２が撓み空間Ｓ１から前方に退避した仮係止位置と、撓み空間Ｓ１に入り込んだ本係止位置とに取り付け可能であり、仮係止位置において、端子金具１０の挿入途中にタブ部１１が傾いた場合に、タブ部１１の先端部が当接可能なリブ４５を備えている。【選択図】図１２
2018125167.tif 000002
【特許請求の範囲】
【請求項１】
タブ部を有する端子金具が後方から挿入されるハウジングと、前記ハウジングに前方から取り付けられるフロントリテーナと、を備え、
前記ハウジングは、正規位置に挿入された前記端子金具に係止可能なランスを有し、
前記ランスは、前記端子金具の挿入時には前記端子金具に押されて撓み空間に退避し、前記端子金具が正規挿入されると弾性復帰して前記端子金具に係止するものであり、
前記フロントリテーナは、前記撓み空間に入り込んで前記ランスの撓み変形を規制する撓み規制部を有し、前記撓み規制部が前記撓み空間から前方に退避した仮係止位置と、前記撓み規制部が前記撓み空間に入り込んだ本係止位置とに取り付け可能であり、前記仮係止位置において、前記端子金具の挿入途中に前記タブ部が傾いた場合に、前記タブ部の先端部が当接可能なリブを備えているリテーナ付きコネクタ。
【請求項２】
前記ハウジングの前壁に、前記タブ部が挿通されるタブ挿通孔が設けられ、
前記リブが、前記タブ部を前記タブ挿通孔側へ案内する案内面を備えている請求項１に記載のリテーナ付きコネクタ。
【発明の詳細な説明】
【技術分野】
【０００１】
本発明は、リテーナ付きコネクタに関する。
【背景技術】
【０００２】
従来、タブ部を有する雄型の端子金具が後方から挿入されるハウジングと、ハウジングに前方から取り付けられるフロントリテーナと、を備えたリテーナ付きコネクタが知られている（例えば下記特許文献１に記載）。ハウジングには、正規挿入された端子金具に係止可能なランスが設けられている。ランスは、端子金具の挿入時には端子金具に押されて撓み空間に退避し、端子金具が正規挿入されると弾性復帰して端子金具に係止する。フロントリテーナは、ランスの撓み空間に入り込んでランスの退避を制限する変位制限部を備えている。フロントリテーナは、端子金具の挿入時には、変位制限部が撓み空間から前方に退避した仮係止位置に取り付けられ、端子金具を正規挿入後に、変位制限部が撓み空間に入り込んだ本係止位置に取り付けられる。これにより、端子金具に係止したランスの退避が制限され、端子金具の抜け止めが確実になされる。
【先行技術文献】
【特許文献】
【０００３】
【特許文献１】特開２０１６−１２２５７３号公報
【発明の概要】
【発明が解決しようとする課題】
【０００４】
しかしながら、上記のような構成では、フロントリテーナが前方に退避している仮係止位置においては、ランスの前方の空間が広くあいている。このため、挿入途中の端子金具のタブ部が傾いてランス前方の空間に入り込み、フロントリテーナに突き当たって折れてしまう虞がある。
【０００５】
本発明は上記のような事情に基づいて完成されたものであって、端子金具の挿入時にタブ部が変形することを防ぐことが可能なリテーナ付きコネクタを提供することを目的とする。
【課題を解決するための手段】
【０００６】
本発明のリテーナ付きコネクタは、タブ部を有する端子金具が後方から挿入されるハウジングと、前記ハウジングに前方から取り付けられるフロントリテーナと、を備え、前記ハウジングは、正規位置に挿入された前記端子金具に係止可能なランスを有し、前記ランスは、前記端子金具の挿入時には前記端子金具に押されて撓み空間に退避し、前記端子金具が正規挿入されると弾性復帰して前記端子金具に係止するものであり、前記フロントリテーナは、前記撓み空間に入り込んで前記ランスの撓み変形を規制する撓み規制部を有し、前記撓み規制部が前記撓み空間から前方に退避した仮係止位置と、前記撓み規制部が前記撓み空間に入り込んだ本係止位置とに取り付け可能であり、前記仮係止位置において、前記端子金具の挿入途中に前記タブ部が傾いた場合に、前記タブ部の先端部が当接可能なリブを備えているものである。
【発明の効果】
【０００７】
本発明によれば、端子金具の挿入時にタブ部が傾いてランス前方の空間に入り込むことを防ぐことができるから、タブ部が折れることを防ぐことができる。
【図面の簡単な説明】
【０００８】
【図１】本実施例におけるコネクタであって、端子金具が正規挿入された状態を示す正面図
【図２】端子金具が正規挿入された状態のコネクタを示す断面図であって、図１のＡ−Ａ位置における断面に相当する断面図
【図３】端子金具を示す側面図
【図４】端子金具を示す底面図
【図５】フロントリテーナを示す斜視図
【図６】フロントリテーナを示す正面図
【図７】フロントリテーナを示す側面図
【図８】フロントリテーナを示す平面図
【図９】フロントリテーナが仮係止位置に取り付けられている状態のコネクタを示す側面図
【図１０】端子金具の挿入途中にタブ部がリブに当接した状態を示すコネクタの正面図
【図１１】端子金具の挿入途中にタブ部がリブに当接した状態を示すコネクタの断面図であって、図１０のＢ−Ｂ位置における断面に相当する断面図
【図１２】端子金具の挿入途中にタブ部がリブに当接した状態を示すコネクタの断面図であって、図１０のＣ−Ｃ位置における断面に相当する断面図
【発明を実施するための形態】
【０００９】
本発明の好ましい形態を以下に示す。
本発明のリテーナ付きコネクタは、前記ハウジングの前壁に、前記タブ部が挿通されるタブ挿通孔が設けられ、前記リブが、前記タブ部を前記タブ挿通孔側へ案内する案内面を備えているものとしてもよい。このような構成によれば、案内面によってタブ部がタブ挿通孔側へ案内されるから、端子金具の挿入作業を容易に行うことができる。
【００１０】
＜実施例＞
以下、本発明を具体化した一実施例について、図１〜図１２を参照しつつ詳細に説明する。
本実施例におけるリテーナ付きコネクタ（以下、単にコネクタＣと称する）は、前端にタブ部１１を有する雄型の端子金具１０が後方から挿入されるハウジング２０と、ハウジング２０に前方から取り付けられるフロントリテーナ４０と、を備えた雄型のコネクタである。以下、各構成部材において、図示しない相手側コネクタとの嵌合面側（図２の左側）を前方、その反対側（図２の右側）を後方とし、また、図２の上側を上方、下側を下方として説明する。
【００１１】
端子金具１０は、図３及び図４に示すように、全体として細長い形状をなし、後端部には、電線Ｗの端末部に接続される電線接続部１２が設けられている。タブ部１１は、本体部（以後、端子本体部１３と称する）の前端から前方に突出して設けられ、図示しない雌型の端子金具と接触して電気的に接続される。タブ部１１は、図１に示すように、金属板材を折り重ねて形成された略扁平（金属板材の重ね合わせ方向の寸法よりも重ね合わせ方向と交差する方向の寸法が大きい）板状をなしている。なお、タブ部１１の先端は、先細り形状とされている。
【００１２】
端子本体部１３には、後述するハウジング２０のランス３１が係止可能な係止受け部１４が設けられている。係止受け部１４は、端子本体部１３の前後方向における中間部に設けられ、端子本体部１３の外面から外側に突出している。係止受け部１４は、端子本体部１３の幅方向における略中心に位置している。
【００１３】
ハウジング２０は、合成樹脂製であって、端子金具１０が収容される端子収容部２１と、相手側のハウジング２０に嵌合可能なフード部２２とを備えている。
端子収容部２１には、端子金具１０が個別に収容されるキャビティ２３が複数設けられている。複数のキャビティ２３は、上下方向に複数段（本実施例では２段）にわけて設けられ、各段には複数（本実施例では２室）のキャビティ２３が並べられている。
【００１４】
端子収容部２１には、各キャビティ２３の前壁２４、天井壁２５、左右両側の側壁２６、及び底壁２７が設けられている。天井壁２５及び側壁２６は、各キャビティ２３の全長にわたっている。
【００１５】
前壁２４には、タブ部１１が挿通されるタブ挿通孔２８が設けられている。タブ挿通孔２８は、全周が閉じた孔であり、横長の長方形状をなして前壁２４を前後方向に貫通している。前壁２４の後面には、タブ部１１をタブ挿通孔２８に誘い込むことが可能な誘導面２９が形成されている。誘導面２９は、タブ挿通孔２８の周囲（上下左右）に設けられ、タブ挿通孔２８に向かって次第にキャビティ２３の幅が狭まるように傾斜している。
【００１６】
底壁２７は、各キャビティ２３の略後半部に設けられ、底壁２７の前方には、正規位置に挿入された端子金具１０に係止可能なランス３１が設けられている。ランス３１は、基端側が底壁２７に連結された片持ち状をなして前方に延出している。ランス３１は、上下方向に弾性撓み可能とされている。ランス３１の幅寸法は、タブ部１１の幅寸法よりも小さくされている。
【００１７】
ランス３１の上面には、係止受け部１４に後方から係止可能な係止面３２が設けられている（図２参照）。係止面３２は、端子金具１０の挿抜方向に対して略垂直をなすように切り立っている。なお、ランス３１の前端部は、係止面３２よりも一段前方に突出している。
【００１８】
ランス３１の下方には、ランス３１が弾性撓みするための撓み空間Ｓ１が設けられている。ランス３１は、端子金具１０の挿入時には端子金具１０に押されて撓み空間Ｓ１に退避し、端子金具１０が正規挿入されると弾性復帰して端子金具１０に係止する。撓み空間Ｓ１は、前方に開放されている。
【００１９】
端子収容部２１には、フロントリテーナ４０が収容されるリテーナ収容部３３が設けられている。リテーナ収容部３３は、端子収容部２１の前端部に設けられ、ランス３１の周囲を前方に開放する空間である。
【００２０】
リテーナ収容部３３は、後述するフロントリテーナ４０のリブ４５が前方から挿入される挿入空間Ｓ２を有している（図１１参照）。挿入空間Ｓ２は、ランス３１の側方に設けられている。挿入空間Ｓ２は、ランス３１の高さ寸法と同等の高さを有して前方に開放されるとともに、撓み空間Ｓ１と左右方向に連通している。
【００２１】
ハウジング２０には、後述するフロントリテーナ４０の嵌合部４６が嵌合可能な嵌合受け部３４が設けられている（図９参照）。嵌合受け部３４は、端子収容部２１の両側面に設けられている。嵌合受け部３４の上下両側には、前後方向に延びる突条部３５が設けられている。
【００２２】
嵌合受け部３４には、フロントリテーナ４０が仮係止位置にあるときに係止可能な仮係止突起３６、及び本係止位置にあるときに係止可能な本係止突起３７が設けられている。仮係止突起３６及び本係止突起３７は、端子収容部２１の両側面に突設されている。仮係止突起３６が前側、本係止突起３７が後側に位置し、また仮係止突起３６が上側、本係止突起３７が下側に位置している。仮係止突起３６の突出寸法は、本係止突起３７の突出寸法よりも小さくされている（図１参照）。
【００２３】
フード部２２は、筒状をなして端子収容部２１から前方に突出している。フード部２２は、端子収容部２１よりも一段外側に大きくなっている。フード部２２の奥壁には、フロントリテーナ４０の嵌合部４６を嵌合受け部３４へ通過させる通過部３８が設けられている（図１１参照）。通過部３８は、縦長の方形状をなしてフード部２２の奥壁を前後方向に貫通する孔である。
【００２４】
フロントリテーナ４０は、撓み空間Ｓ１に入り込んでランス３１の撓み変形を規制する撓み規制部４２を有している。フロントリテーナ４０は、撓み規制部４２が撓み空間Ｓ１から前方に退避した仮係止位置（図１２参照）と、撓み空間Ｓ１に入り込んだ本係止位置（図２参照）とに取り付け可能とされている。
【００２５】
撓み規制部４２は、フロントリテーナ４０の本体部（以後、リテーナ本体部４１と称する）に設けられている（図８参照）。リテーナ本体部４１は、図５に示すように、キャビティ２３の段数に対応して設けられた複数（本実施例では２段）の本体構成部４３と、本体構成部４３を上下方向に連結する連結壁４４とを有している。連結壁４４は、本体構成部４３の左右両端部に設けられ、リテーナ本体部４１は、全体として前後両側に開口した角筒状をなしている。
【００２６】
撓み規制部４２は、各ランス３１に対応して設けられ、各本体構成部４３に２つずつ横並びに設けられている。撓み規制部４２は、ランス３１が弾性撓みしていない自然状態における撓み空間Ｓ１の高さ寸法と同等の厚さ寸法と、ランス３１の幅寸法と同等の幅寸法とを有している。撓み規制部４２の両側には、端子金具１０の挿入途中にタブ部１１が傾いた場合に、タブ部１１の先端部が当接可能なリブ４５が設けられている。リブ４５については、後ほど詳しく説明する。
【００２７】
連結壁４４は、図５に示すように、本体構成部４３よりも後方に突出して設けられ、本体構成部４３から後方に突出した部分が嵌合部４６とされている。嵌合部４６は壁状をなし、フロントリテーナ４０の左右両側に一対が対向して設けられている。嵌合部４６には、フロントリテーナ４０が仮係止位置にあるときに仮係止突起３６に係止し、本係止位置にあるときに本係止突起３７に係止可能な係止部４７が設けられている。係止部４７は、嵌合部４６の外縁部に沿って突設されている。係止部４７は、嵌合部４６の後縁に沿う部分と、上下両縁に沿う部分とを有している。
【００２８】
フロントリテーナ４０の前端部には、メンテナンス等のために端子金具１０を抜き取る際に、ランス３１を撓み空間Ｓ１に退避させるための図示しない治具を挿入可能な治具孔４８が設けられている。治具孔４８は、前後両側及び上側に開放された溝状をなしている。治具孔４８は、フロントリテーナ４０が仮係止位置にあるときには、図１２に示すように、リテーナ収容部３３の外側に位置して全体が開放され、フロントリテーナ４０が本係止位置にあるときには、図２に示すように、リテーナ収容部３３の内側に位置して上側が前壁２４で塞がれる。
【００２９】
治具孔４８の底面と撓み規制部４２の上面との間には、段差面４９が形成されている。段差面４９は、治具孔４８から撓み規制部４２側へ向かって下がる傾斜をなしている。段差面４９は、リテーナ本体部４１の前後方向における略中心に位置している。
【００３０】
さて、リブ４５は、図８に示すように、各撓み規制部４２の両側に突設されている。上側の本体構成部４３のリブ４５は、連結壁４４よりも一段上方に突出している。リブ４５は、リテーナ本体部４１の前端から後端にわたっている。言い換えると、リブ４５の後端と撓み規制部４２の後端とは前後方向の位置が揃っている。
【００３１】
リブの４５の高さ寸法は、挿入空間Ｓ２の高さ寸法に整合している。また、リブ４５の幅寸法は、図１１に示すように、前後方向に対応する側壁２６よりもキャビティ２３の中心側へ一段突出する寸法とされている。撓み規制部４２を間にして並ぶリブ４５の間隔は、タブ部１１の幅寸法より小さくされている。なお、リブ４５の間隔は、治具孔４８の幅寸法より大きくされている。
【００３２】
リブ４５の上面（以後、突出端面５１と称する）は、端子金具１０の挿入方向に略平行な平坦な面とされている（図７参照）。フロントリテーナ４０がハウジング２０に取り付けられると、突出端面５１は、誘導面２９の下端と同等の高さに位置する。リブ４５は、タブ部１１を上側（タブ挿通孔２８側）へ案内する案内面５２を備えている。案内面５２は、リブ４５の後端部に設けられ、前方に向かって次第に上る傾斜をなし、前端が突出端面５１に連なっている。
【００３３】
フロントリテーナ４０が仮係止位置にあるときには、図１２に示すように、リブ４５の略半分がリテーナ収容部３３に収容され、案内面５２の全体、及び突出端面５１の半分がキャビティ２３に臨んで配される。フロントリテーナ４０が本係止位置にあるときには、図２に示すように、リブ４５の全体がリテーナ収容部３３に収容され、リブ４５の半分がランス３１の両側の挿入空間Ｓ２に入り込む。
【００３４】
次に、本実施例のコネクタＣの組み付け作業の一例を説明する。
まず、フロントリテーナ４０を仮係止位置に取り付ける。フロントリテーナ４０をフード部２２の前方から内部に入れて嵌合部４６を通過部３８に挿入する。嵌合部４６は嵌合受け部３４に至り、係止部４７が仮係止突起３６を乗り越えて仮係止突起３６に係止する（図９参照）。係止部４７は、仮係止突起３６と本係止突起３７との間に嵌合し、フロントリテーナ４０の前後方向の移動が規制される。このとき、リテーナ本体部４１の略半分はリテーナ収容部３３から前方に突出し、撓み規制部４２及びリブ４５はランス３１の前方に退避している（図１２参照）。
【００３５】
次に、端子金具１０をキャビティ２３に挿入する。キャビティ２３に後方から端子金具１０を挿入すると、タブ部１１はランス３１の上方を通ってタブ挿通孔２８に向かう。このとき、タブ部１１がタブ挿通孔２８に入る前に斜めに傾いてしまう場合がある。図１２に示すように、タブ部１１が斜め下向きに傾いた場合には、タブ部１１の先端部がリブ４５の案内面５２または突出端面５１に接触する。タブ部１１が案内面５２に接触した場合には、案内面５２の傾斜により突出端面５１に案内される。タブ部１１は、突出端面５１に沿った後、誘導面２９に至りタブ挿通孔２８に入る。こうして、端子金具１０の挿入途中にタブ部１１が傾いたとしても、タブ部１１はランス３１前方の空間に潜り込むことなく、タブ挿通孔２８に挿通される。なお、タブ部１１が斜め上向きに傾いた場合には、タブ部１１の先端部が天井壁２５に接触し、天井壁２５に沿って誘導面２９に至りタブ挿通孔２８に入る。
【００３６】
タブ部１１がタブ挿通孔２８に入ると、端子金具１０は略水平姿勢に保持される。係止受け部１４がランス３１を押して撓み空間Ｓ１に退避させ、端子金具１０は前進する。端子金具１０が正規の位置に至ると、係止受け部１４はランス３１の係止面３２を乗り越え、ランス３１が弾性復帰し、係止面３２が係止受け部１４に係止する。これにより、端子金具１０が抜け止めされる。
【００３７】
次に、フロントリテーナ４０を本係止位置に取り付ける。全ての端子金具１０を正規位置に挿入し終えたら、仮係止位置に保持されているフロントリテーナ４０を後方に押す。図９の二点鎖線で示すように嵌合部４６が移動し、係止部４７が本係止突起３７を乗り越えて本係止突起３７の後面に係止する。これにより、リテーナの前方移動が規制される。
【００３８】
また、リテーナ本体部４１の全体がリテーナ収容部３３に収容される（図２参照）。撓み規制部４２は撓み空間Ｓ１に入り込み、リブ４５は挿入空間Ｓ２に入り込む。端子本体部１３は、ランス３１及びフロントリテーナ４０のリブ４５によって下面が支持された状態になる。
【００３９】
撓み空間Ｓ１に入り込んだ撓み規制部４２によって、ランス３１の弾性撓みが規制され、端子金具１０は確実に抜け止めされる。
挿入空間Ｓ２に入り込んだリブ４５は側壁２６に突き当たり、フロントリテーナ４０のさらなる押し込みが規制される。また、挿入空間Ｓ２に入り込んだリブ４５によって隣接するランス３１の間が仕切られるとともに、ランス３１の側方の空間が埋められる。これにより、電線Ｗが強く引っ張られたとしてもランス３１は左右に屈曲変形することが規制され、正規の形状を維持することができる。
以上により、コネクタＣの組み付け作業が完了する。
【００４０】
次に、上記のように構成された実施例の作用および効果について説明する。
本実施例のコネクタＣは、タブ部１１を有する端子金具１０が後方から挿入されるハウジング２０と、ハウジング２０に前方から取り付けられるフロントリテーナ４０と、を備えている。ハウジング２０は、正規位置に挿入された端子金具１０に係止可能なランス３１を有している。ランス３１は、端子金具１０の挿入時には端子金具１０に押されて撓み空間Ｓ１に退避し、端子金具１０が正規挿入されると弾性復帰して端子金具１０に係止するものである。フロントリテーナ４０は、撓み空間Ｓ１に入り込んでランス３１の撓み変形を規制する撓み規制部４２を有している。フロントリテーナ４０は、撓み規制部４２が撓み空間Ｓ１から前方に退避した仮係止位置と、撓み空間Ｓ１に入り込んだ本係止位置とに取り付け可能である。フロントリテーナ４０は、仮係止位置において、端子金具１０の挿入途中にタブ部１１が傾いた場合に、タブ部１１の先端部が当接可能なリブ４５を備えている。この構成によれば、端子金具１０の挿入時にタブ部１１が傾いてランス３１の前方の空間に入り込むことを防ぐことができるから、タブ部１１が変形することを防ぐことができる。
【００４１】
また、ハウジング２０の前壁２４に、タブ部１１が挿通されるタブ挿通孔２８が設けられ、リブ４５が、タブ部１１をタブ挿通孔２８側へ案内する案内面５２を備えている。この構成によれば、案内面５２によってタブ部１１がタブ挿通孔２８側へ案内されるから、端子金具１０の挿入作業を容易に行うことができる。
【００４２】
＜他の実施例＞
本発明は上記記述及び図面によって説明した実施例に限定されるものではなく、例えば次のような実施例も本発明の技術的範囲に含まれる。
（１）上記実施例では、リブ４５が、ランス３１の両側の挿入空間Ｓ２に入り込むように設けられているが、これに限らず、例えばランスがキャビティの片側に寄って設けられている場合などには、リブを、各ランスの片側のみに入り込むように設けてもよい。
（２）上記実施例では、リブ４５に案内面５２が備えられているが、必ずしも案内面を設けなくてもよい。
【符号の説明】
【００４３】
Ｃ…コネクタ
Ｓ１…撓み空間
１０…端子金具
１１…タブ部
２０…ハウジング
２４…前壁
２８…タブ挿通孔
３１…ランス
４０…フロントリテーナ
４２…撓み規制部
４５…リブ
５２…案内面
【図１】
2018125167.tif 000003
【図２】
2018125167.tif 000004
【図３】
2018125167.tif 000005
【図４】
2018125167.tif 000006
【図５】
2018125167.tif 000007
【図６】
2018125167.tif 000008
【図７】
2018125167.tif 000009
【図８】
2018125167.tif 000010
【図９】
2018125167.tif 000011
【図１０】
2018125167.tif 000012
【図１１】
2018125167.tif 000013
【図１２】
2018125167.tif 000014